(57)【要約】      （修正有）【課題】繊維束の交差角度を正確に設定することができる斜交織物の製造方法及び製造装置を提供すること。【解決手段】斜交織物の製造装置１は、環状のガイド部２の内側に複数の経糸Ｔを周方向に所定間隔で配列するように送給するとともに経糸Ｔを開閉口させる経糸織成部３と、緯糸Ｙをガイド部２に沿うように送給して開口された経糸の間に挿入する緯糸織成部４と、経糸を開閉口させながら緯糸を挿入して製織された製織部分Ｗをガイド部の中心軸Ｏに沿って移送させる移送部５と、製織部分を移送しながら連続織成された筒状織物Ｆの長手方向に対して螺旋状に切断して所定幅の斜交織物Ｓを連続形成する切断部６とを備え、経糸織成部は、中心軸Ｏを中心とする円の半径方向に対して周方向に傾斜させて経糸を送給する。【選択図】図１
2019203230.tif 000002
【特許請求の範囲】
【請求項１】
環状のガイド部に対して周方向に所定間隔で配列された複数の経糸を開閉口させながら緯糸を挿入して製織し、製織部分を前記ガイド部の中心軸に沿って移送させて筒状織物を連続して織成し、前記筒状織物の長手方向に対して螺旋状に切断して所定幅の斜交織物を連続して製造する斜交織物の製造方法であって、前記製織部分の前記経糸の糸長方向を調整して前記経糸及び前記緯糸の交差角度を設定する斜交織物の製造方法。
【請求項２】
前記経糸の糸長方向は、前記中心軸を中心とする円の半径方向に対して前記経糸の送給方向を周方向に傾斜させて調整する請求項１に記載の斜交織物の製造方法。
【請求項３】
前記経糸の糸長方向は、前記製織部分を移送する際に前記中心軸の周方向に回動させて調整する請求項２に記載の斜交織物の製造方法。
【請求項４】
前記製織部分の外側及び内側から挟持して移送する請求項３に記載の斜交織物の製造方法。
【請求項５】
環状のガイド部の内側に複数の経糸を周方向に所定間隔で配列するように送給するとともに当該経糸を開閉口させる経糸織成部と、緯糸を前記ガイド部に沿うように送給して開口された前記経糸の間に挿入する緯糸織成部と、前記経糸を開閉口させながら前記緯糸を挿入して製織された製織部分を前記ガイド部の中心軸に沿って移送させる移送部と、前記製織部分を移送しながら連続織成された筒状織物の長手方向に対して螺旋状に切断して所定幅の斜交織物を連続形成する切断部とを備え、前記経糸織成部は、前記中心軸を中心とする円の半径方向に対して周方向に傾斜させて前記経糸を送給する斜交織物の製造装置。
【請求項６】
前記移送部は、前記製織部分を前記中心軸の周方向に回動させながら移送する請求項５に記載の斜交織物の製造装置。
【請求項７】
前記移送部は、前記製織部分の内側に当接する内側移送部と、前記製織部分の外側に当接する外側移送部とを備えており、前記内側移送部及び前記外側移送部により前記製織部分を挟持して移送する請求項５又は６に記載の斜交織物の製造装置。
【請求項８】
前記切断部は、切断されて連続形成された前記斜交織物を巻き取る巻取部を備えている請求項５から７のいずれかに記載の斜交織物の製造装置。
【請求項９】
前記筒状織物の周囲に離型シートを付着させるシート取付部を備えている請求項５から８のいずれかに記載の斜交織物の製造装置。   
【発明の詳細な説明】
【技術分野】
【０００１】
本発明は、繊維束からなる経糸及び緯糸を長手方向に対して斜交させて製織された斜交織物の製造方法及び製造装置に関する。
【背景技術】
【０００２】
従来から、熱硬化性樹脂、又は熱可塑性樹脂をマトリクス樹脂とする繊維強化樹脂材料（繊維強化複合材料）は、金属材料に比べて軽量かつ高弾性であり、樹脂材料のみに比べて高弾性かつ高強度である。このため、航空・宇宙分野、自動車分野、土木・建築分野、運動器具分野等の幅広い分野で注目されている材料である。  
【０００３】
繊維強化複合材料では、炭素繊維等の強化繊維からなる繊維束を多軸に積層しマトリクス樹脂を含浸させて用途に合わせて様々な形状の積層成形体に形成するようになっている。繊維束を多軸に積層する場合、繊維束を経糸及び緯糸に用いて製織した二軸織物を積層することが行われているが、繊維束が９０度で交差する二軸織物からなる層に対して斜め４５度の角度で交差する層を形成するためには、二軸織物を斜め４５度の角度で切断した複数の織物片を配列して層を形成することになる。そのため、織物片を繋ぎ合せた層となり、積層成形体として形成した場合の強度低下が避けられない。そして、織物を切断する工程が必要となることや切断により織物片の織組織が崩れやすくなるといった課題がある。  
【０００４】
こうした課題に対処するために、繊維束を長手方向に対して斜交させて製織した斜交織物を用いることが提案されている。斜交織物は、長尺状に製織して製造されるため、切断することなくそのまま用いることができ、二軸織物に重ね合せることで多軸に積層することが簡単に行える。また、繋ぎ合せることなく連続体で積層されるため、積層成形体の強度低下を避けることができる。  
【０００５】
こうした長尺状の斜交織物を製造する方法としては、例えば、特許文献１では、円筒状に製織された織物を製織方向に対して螺旋状に斜め方向に切断することで斜交織物を製造する方法が記載されている。
【先行技術文献】
【特許文献】
【０００６】
【特許文献１】特公平７−１０３５１３号公報
【特許文献２】特開２０１５−１５８０２１号公報
【発明の概要】
【発明が解決しようとする課題】
【０００７】
特許文献１では、円筒状の芯体の周囲に環状に配置された経糸を開閉口させながら緯糸を挿入して形成される製織部分を芯体の中心軸に沿って順次移送させることで連続した円筒状織物（環状織物）を得ることができるが、その際に経糸が移送方向に沿って移動すると共に緯糸が芯体の周囲を周回しながら挿入されるため、経糸及び緯糸の交差角度を正確に９０度となるように製織することが難しい。  
【０００８】
図１０は、円筒状織物の織組織に関する説明図である。緯糸Ｙの１周した部分を平面図に展開して示しており、移送方向Ａに沿って配列された複数の経糸Ｔに交差するように緯糸Ｙが織り込まれて製織幅Ｌの円筒状織物が形成される。緯糸Ｙは、周回して挿入されるため１周する間に移送方向Ａに対して緯糸Ｙの糸幅ｄ分だけずれるようになる。そのため、緯糸Ｙは、移送方向Ａと直交する方向に対して角度θだけ傾斜した状態となる。角度θは、以下の式から算出することができる。θ＝ｔａｎ-1（ｄ／Ｌ）したがって、円筒状織物では、移送方向Ａに沿う経糸Ｔの糸長方向と緯糸Ｙの糸長方向との交差角度を９０度に設定することが難しく、特に、緯糸Ｙの糸幅ｄが大きくなるほど、経糸及び緯糸の交差角度は９０度からずれやすくなる。  
【０００９】
そのため、製織された円筒状織物を螺旋状に切断した場合に、繊維束の交差角度を正確に設定した斜交織物を得ることは難しく、繊維束が開繊処理等により幅広となっている場合には、繊維束の交差角度のずれが顕著になることは避けられない。  
【００１０】
そこで、本発明は、繊維束の交差角度を正確に設定することができる斜交織物の製造方法及び製造装置を提供することを目的とする。
【課題を解決するための手段】
【００１１】
本発明に係る斜交織物の製造方法は、環状のガイド部に対して周方向に所定間隔で配列された複数の経糸を開閉口させながら緯糸を挿入して製織し、製織部分を前記ガイド部の中心軸に沿って移送させて筒状織物を連続して織成し、前記筒状織物の長手方向に対して螺旋状に切断して所定幅の斜交織物を連続して製造する斜交織物の製造方法であって、前記製織部分の前記経糸の糸長方向を調整して前記経糸及び前記緯糸の交差角度を設定する。さらに、前記経糸の糸長方向は、前記中心軸を中心とする円の半径方向に対して前記経糸の送給方向を周方向に傾斜させて調整する。さらに、前記経糸の糸長方向は、前記製織部分を移送する際に前記中心軸の周方向に回動させて調整する。さらに、前記製織部分の外側及び内側から挟持して移送する。  
【００１２】
本発明に係る斜交織物の製造装置は、環状のガイド部の内側に複数の経糸を周方向に所定間隔で配列するように送給するとともに当該経糸を開閉口させる経糸織成部と、緯糸を前記ガイド部に沿うように送給して開口された前記経糸の間に挿入する緯糸織成部と、前記経糸を開閉口させながら前記緯糸を挿入して製織された製織部分を前記ガイド部の中心軸に沿って移送させる移送部と、前記製織部分を移送しながら連続織成された筒状織物の長手方向に対して螺旋状に切断して所定幅の斜交織物を連続形成する切断部とを備え、前記経糸織成部は、前記中心軸を中心とする円の半径方向に対して周方向に傾斜させて前記経糸を送給する。さらに、前記移送部は、前記製織部分を前記中心軸の周方向に回動させながら移送する。さらに、前記移送部は、前記製織部分の内側に当接する内側移送部と、前記製織部分の外側に当接する外側移送部とを備えており、前記内側移送部及び前記外側移送部により前記製織部分を挟持して移送する。さらに、前記切断部は、切断されて連続形成された前記斜交織物を巻き取る巻取部を備えている。さらに、前記筒状織物の周囲に離型シートを付着させるシート取付部を備えている。
【発明の効果】
【００１３】
本発明は、上記の構成を備えているので、製織部分の経糸の糸長方向を調整して経糸及び緯糸の交差角度を設定することができるので、斜交織物を構成する糸の交差角度を正確に設定することが可能となる。
【図面の簡単な説明】
【００１４】
【図１】本発明に係る斜交織物の製造装置に関する概略構成図である。
【図２】本発明に係る斜交織物の製造方法に関する説明図である。
【図３】図１に示す製造装置を中心軸Ｏに沿う移送方向Ａからみた概略構成図である。
【図４】図１に示す製造装置を中心軸Ｏと直交する方向からみた概略断面図である。
【図５】製織部分Ｗにおける経糸Ｔの傾斜状態を示す説明図である。
【図６】外側移送部の移送動作に関する説明図である。
【図７】切断動作及び切断された斜交織物に関する説明図である。
【図８】切断動作及び切断された斜交織物に関する説明図である。
【図９】切断動作及び切断された斜交織物に関する説明図である。
【図１０】円筒状織物の織組織に関する説明図である。
【発明を実施するための形態】
【００１５】
以下、本発明に係る実施形態について詳しく説明する。なお、以下に説明する実施形態は、本発明を実施するにあたって好ましい具体例であるから、技術的に種々の限定がなされているが、本発明は、以下の説明において特に発明を限定する旨明記されていない限り、これらの形態に限定されるものではない。  
【００１６】
図１は、本発明に係る斜交織物の製造装置に関する概略構成図である。製造装置１は、環状のガイド部２の内側に複数の経糸Ｔを周方向に所定間隔で配列するように送給するとともに経糸Ｔを開閉口させる経糸織成部３と、緯糸Ｙをガイド部２に沿うように送給して開口された経糸Ｔの間に挿入する緯糸織成部４と、経糸Ｔを開閉口させながら緯糸Ｙを挿入して製織された製織部分Ｗをガイド部２の中心軸Ｏに沿って移送させる移送部５と、製織部分Ｗを移送しながら連続織成された筒状織物Ｆの長手方向に対して螺旋状に切断して所定幅の斜交織物Ｓを連続形成する切断部６とを備えている。  
【００１７】
図２は、本発明に係る斜交織物Ｓの製造方法に関する説明図である。図２では、図１０と同様に、緯糸Ｙの１周した部分を平面図に展開して示している。図１０で説明したように、従来の筒状織物の製造方法では、筒状織物を構成する経糸及び緯糸の交差角度を正確に９０度に設定することは困難であった。本発明では、製織部分Ｗの経糸Ｔの糸長方向を調整して経糸Ｔ及び緯糸Ｙの交差角度を設定することで、交差角度を正確に設定するようにしている。図２では、移送方向Ａに対して経糸Ｔの糸長方向を角度θだけ傾斜するように調整しており、そのため、移送方向Ａと直交する方向に対して角度θだけ傾斜する緯糸Ｙの糸長方向と９０度の交差角度に正確に設定することができる。また、経糸Ｔの糸長方向を調整することで、経糸Ｔと緯糸Ｙとの間の交差角度を任意に設定することが可能となり、用途に応じて様々な交差角度で構成されたパターンの斜交織物を製造することができる。  
【００１８】
製織部分Ｗの経糸Ｔの糸長方向を調整する方法としては、製織部分Ｗを環状のガイド部２の中心軸Ｏを中心に回動させながら移送させる方法と、環状のガイド部２に配置された複数の経糸Ｔ送給する経糸織成部３の全体をガイド部２の中心軸Ｏを中心に回転させながら製織する方法と、両方法を組み合せた方法が挙げられる。いずれの方法でも中心軸Ｏを中心とする円の半径方向に対して経糸Ｔの送給方向を周方向に傾斜させて調整することが好ましい。  
【００１９】
図３は、図１に示す製造装置１を中心軸Ｏに沿う移送方向Ａからみた概略構成図であり、図４は、中心軸Ｏと直交する方向からみた概略断面図である。環状のガイド部２は、断面形状が円形に形成されており、経糸Ｔを内側にスムーズに挿入できるようになっている。なお、ガイド部２としては、断面形状が円形以外の楕円形等の形状に形成してもよく、特に限定されない。  
【００２０】
経糸織成部３は、経糸Ｔを巻き付けた給糸部３０、給糸部３０から送り出された経糸Ｔを案内するガイドローラ３１、及び、ガイドローラ３１により案内された経糸Ｔを開口する開口部３２を備えており、開口部３２から環状のガイド部２の内側に経糸Ｔが送給されるようになっている。そして、経糸Ｔ毎に設けられた給糸部３０、ガイドローラ３１及び開口部３２を、中心軸Ｏを中心に周方向に配列している。ガイド部２の内側に送給された経糸Ｔは、ガイド部２の周方向に所定間隔で配列されており、ガイド部２の内側に挿入される経糸Ｔの送給方向は、中心軸Ｏを中心とする円の半径方向に対して周方向に傾斜させて設定されている。このように経糸Ｔを周方向に傾斜させて挿入することで、製織部分Ｗに挿入される経糸Ｔがずれたり、経糸Ｔが糸幅方向に無理な力
が加わって変形することを防止する。経糸Ｔの送給方向の半径方向に対する傾斜角度は、後述する移送部５による製織部分Ｗの経糸Ｔの糸長方向の移送方向Ａに対する傾斜角度に応じて設定すればよい。  
【００２１】
緯糸織成部４は、緯糸Ｙを巻き付けた給糸部４０、給糸部４０から送り出された緯糸Ｙを案内するガイドローラ４１、及び、ガイドローラ４１により案内された緯糸Ｙをガイド部２に沿うように案内してガイド部２の内側に近接して開口された経糸Ｔの間に挿入する挿入ローラ４２を備えている。挿入ローラ４２の経糸Ｔに対向する両側には、経糸Ｔに接触する一対の接触ローラ４３が取り付けられており、開口された経糸Ｔを接触ローラ４３によりさらに拡開するようになっている。  
【００２２】
この例では、給糸部４０、ガイドローラ４１及び挿入ローラ４２を１セットとして２セットが対向配置されて、図示せぬ移動機構により同じ速度でガイド部２に沿って周方向に回動し、開口した経糸Ｔの間に１周の回動動作で２本の緯糸Ｙを挿入するようになっている。（＊移動機構の具体的な構成をご教示ください）  
【００２３】
挿入ローラ４２は、緯糸Ｙを捩れることなくガイド部２の周方向に沿うように案内するため、緯糸Ｙを案内する周面を中心軸Ｏと平行になるように設定している。特に、緯糸Ｙが開繊糸のように幅広の糸の場合、緯糸Ｙをガイド部２の周方向に沿って巻き付けるように案内する際に緯糸Ｙが捩れやすくなる。そのため、挿入ローラ４２の案内面を中心軸Ｏと平行になるように設定することで、緯糸Ｙが捩れる、折れ曲る等の変形することなく経糸Ｔの間に挿入されて経糸Ｔに密着し、安定して製織することが可能となる。  
【００２４】
移送部５は、製織部分Ｗの内側に当接する内側移送部５０と、製織部分Ｗの外側に当接する外側移送部５１及び５２とを備えており、内側移送部５０並びに外側移送部５１及び５２により製織部分Ｗを挟持して中心軸Ｏの周方向に回動させながら移送するようになっている。内側移送部５０は、複数の移送ローラ機構５００がガイド部２の内周側に等間隔で配置されている。移送ローラ機構５００は、複数の移送ローラ５０１が移送方向Ａに配列されており、配列された移送ローラ５０１の先端には駆動ローラ５０３が配置されている。移送方向Ａに配列された移送ローラ５０１及び駆動ローラ５０３には移送ベルト５０２が張架されている。  
【００２５】
駆動ローラ５０３の回転軸には伝動歯車５０３ａが取り付けられており、中心軸Ｏに沿って配置された駆動モータ５０４の駆動ロッド５０４ａの先端には駆動歯車５０４ｂが取付固定されている。駆動歯車５０４ｂは、伝動歯車５０３ａに噛み合うように取り付けられており、駆動モータ５０４を回転駆動することで、駆動歯車５０４ｂ及び伝動歯車５０３ａを介して駆動ローラ５０３が回転駆動されて移送ベルト５０２が移送方向Ａに移送動作を行うようになる。  
【００２６】
外側移送部５１及び５２は、それぞれリング状の圧接部材５１０及び５２０を備えており、圧接部材５１０及び５２０は、図示せぬ動作機構に取り付けられてそれぞれ移送方向Ａに移動可能で製織部分Ｗの周方向に回動可能となっている。また、圧接部材５１０及び５２０は、複数のパーツに分割されて構成されており、動作機構により各パーツを外方に移動させて圧接部材５１０及び５２０を拡径動作するようになっている。各パーツの周方向の端部が離間して圧接部材５１０及び５２０が拡径することで製織部分Ｗから離間し、各パーツの周方向の端部が密着して圧接部材５１０及び５２０が縮径することで製織部分Ｗの周囲に圧接した状態に設定されるようになっている。  
【００２７】
緯糸Ｙを内側移送部５０の移送ベルト５０２に巻き付けるように経糸Ｔの間に挿入して製織部分Ｗを織成しながら移送ベルト５０２を移送方向Ａに駆動していく。その際に、外側移送部５１又は５２の一方を製織部分Ｗに圧接して移送ベルト５０２と製織部分Ｗを挟持した状態で移送ベルト５０２と同期して同じ長さだけ移送方向Ａに移動させながら周方向に所定幅だけ回動させる。製織部分Ｗの経糸Ｔは、圧接された外側移送部５１又は５２の周方向の回動により糸長方向が移送方向Ａから傾斜した状態で移送されるようになる。  
【００２８】
図５は、製織部分Ｗにおける経糸Ｔの傾斜状態を示す説明図である。製織部分Ｗの経糸Ｔの糸長方向は、移送方向Ａの単位移送長さａ当りの周方向の回動幅ｃで設定されるようになり、移送方向Ａに対する経糸Ｔの糸長方向の傾斜角度θは、以下の式で算出される。θ＝ｔａｎ-1（ｃ／ａ）製織部分Ｗの緯糸Ｙは、周方向に巻き付けるように織成されるため、圧接された外側移送部５１又は５２の周方向の回動によりほとんど影響を受けることがない。そのため、圧接された外側移送部５１又は５２の移送長さ及び回動幅で経糸Ｔの糸長方向を調整することで、経糸Ｔ及び緯糸Ｙの交差角度αを任意に設定することができる。例えば、外側移送部５１又は５２の回動方向を緯糸Ｙの巻き付け方向と同じ方向とすることで交差角度αを大きくすることができ、反対方向に設定することで交差角度αを小さくすることができる。  
【００２９】
図６は、外側移送部５１及び５２の移送動作に関する説明図である。まず、図６（ａ）に示すように、外側移送部５１及び５２は移送方向Ａに移動して互いに接近した位置に配置され、外側移送部５２が製織部分Ｗに圧接状態とし外側移送部５１が離間した状態に設定される。そして、内側移送部５０は、製織部分Ｗに当接した状態で移送方向Ａに移送ベルト５０２を移動させ、外側移送部５２が内側移送部５０の移送動作と同期して移送方向Ａに移動しながら回動する。一方、外側移送部５１は、製織部分Ｗから離間した状態で外側移送部５２とは反対方向に移動する。次に、図６（ｂ）に示すように、外側移送部５２は、製織部分Ｗを所定の長さだけ移送動作を行い、外側移送部５１は、所定の長さだけ反対方向に移動する。  
【００３０】
そして、図６（ｃ）に示すように、外側移送部５２は製織部分Ｗから離間した状態に設定されるとともに、外側移送部５１は製織部分Ｗに圧接した状態に設定される。次に、図６（ｄ）に示すように、内側移送部５０は、移送方向Ａへの移送動作を継続しながら、外側移送部５１が内側移送部５０の移送動作と同期して移送方向Ａに移動しながら回動する。一方、外側移送部５２は、製織部分Ｗから離間した状態で外側移送部５１とは反対方向に移動する。そして、図６（ｅ）に示すように、外側移送部５１は、製織部分Ｗを所定の長さだけ移送動作を行い、外側移送部５２は、所定の長さだけ反対方向に移動し、両者は、図６（ａ）で説明した互いに接近した位置に戻り、図６（ｆ）に示すように、外側移送部５１は製織部分Ｗから離間した状態に設定されるとともに、外側移送部５２は製織部分Ｗに圧接した状態に設定される。こうして、外側移送部５１及び５２の移送動作を交互に繰り返すことで、製織部分Ｗを連続して移送して筒状織物Ｆを織成することができるようになる。  
【００３１】
なお、上述した例では、リング状の外側移送部を回動させて製織部分の経糸の糸長方向を調整するようにしているが、製織部分の周囲に中心軸に対して所要の角度（製織部分を回動させたい方向に対応する角度）で複数のロールを配置して回転駆動することで製織部分を周方向に回動させることもできる。  
【００３２】
切断部６は、図１に示すように、製織部分Ｗを移送しながら連続織成された筒状織物Ｆの長手方向に対して螺旋状に切断する切断部材６０及び切断されて連続形成された所定幅の斜交織物Ｓを巻き取る巻取ローラ６１を備えており、図示しない移動機構により切断部材６０及び巻取ローラ６１を筒状織物Ｆの周囲に回動させながら切断動作を行うようになっている。  
【００３３】
巻取ローラ６１は、切断位置の回動速度と同じ速度で巻取位置が回動するように設定することで、切断位置から巻取位置までの長さが変化させずに斜交織物を巻き上げることができ、斜行織物の巻き上げ張力が一定となって安定した品質が得られるようになる。また、巻取ローラ６１の巻取軸は、切断される斜交織物の長手方向と直交する方向に沿って設定することで、斜交織物を変形させることなく巻き取ることができる。  
【００３４】
切断された斜交織物Ｓの長手方向は、切断部材６０の切断方向により設定されるようになるため、斜交織物Ｓを構成する経糸Ｔ及び緯糸Ｙの糸長方向の長手方向に対する配向角度は、切断方向により任意に調整することができる。切断部材６０の移送方向Ａに対する切断方向は、筒状織物Ｆの移送速度と切断部材６０の切断位置における周方向の回動速度により設定され、切断位置の回動速度は、筒状織物Ｆの移送部５による周方向の回動速度と異なる速度に設定することが好ましい。  
【００３５】
図７から図９は、切断動作及び切断された斜交織物に関する説明図である。図７では、筒状織物Ｆを経糸Ｔ及び緯糸Ｙの交差角度が約９０度となるように織成するとともに緯糸Ｙの糸長方向に対して約４５度の角度で切断方向を設定して切断動作を行っている（図７（ａ））。得られた斜交織物Ｓは、図７（ｂ）に示すように、織組織を構成する糸は互いに９０度の交差角度で織成されるとともに長手方向にそれぞれ約４５度傾斜した配向角度となっている。この例では、緯糸Ｙの糸長方向に対する切断方向の角度を４５度から増減することで、斜交織物を構成する糸の長手方向に対する配向角度を異なる角度に設定することも可能で、様々な配向角度で組み合わせた斜交織物を製造することができる。  
【００３６】
図８では、筒状織物Ｆを経糸Ｔ及び緯糸Ｙの交差角度が９０度よりも大きくなるように織成するとともに緯糸Ｙの糸長方向に対して交差角度の半分の角度で切断方向を設定して切断動作を行っている（図８（ａ））。得られた斜交織物Ｓは、図８（ｂ）に示すように、織組織を構成する糸は互いに９０度より大きい交差角度で織成されるとともに長手方向にそれぞれ等しい配向角度で傾斜した状態に設定されている。この例でも、切断方向の角度を変化させることで、斜交織物を構成する糸の配向角度の様々な組み合せを実現することができる。  
【００３７】
図９では、筒状織物Ｆを経糸Ｔ及び緯糸Ｙの交差角度が９０度よりも小さくなるように織成するとともに緯糸Ｙの糸長方向に対して交差角度の半分の角度で切断方向を設定して切断動作を行っている（図９（ａ））。得られた斜交織物Ｓは、図９（ｂ）に示すように、織組織を構成する糸は互いに９０度より小さい交差角度で織成されるとともに長手方向にそれぞれ等しい配向角度で傾斜した状態に設定されている。この例でも、切断方向の角度を変化させることで、斜交織物を構成する糸の配向角度の様々な組み合せを実現することができる。  
【００３８】
上述した製造装置には、織成された筒状織物Ｆの周囲に離型シートを巻き付けるシート取付部を備えることもできる。シート取付部は、所定幅の離型シートを送給する送給ロールを筒状織物Ｆの周囲に回動させて螺旋状に離型シートを巻き付けていき、離型シートが巻き付けられた筒状織物Ｆを切断部６により螺旋状に切断するようにする。  
【００３９】
斜交織物は、構成する糸が長手方向に対して所定の配向角度で傾斜した状態で織成されており、織物の長手方向に糸が織り込まれていない。そのため、切断された斜交織物に長手方向の張力が加わった状態で巻き取る際、織物にねじれ、幅方向の収縮などが生じ易い。さらに、巻き取った状態の織物を引き出す際に加えられる長手方向の張力によるねじれ、幅方向の収縮などの変形が生じ易い。そのため、切断前に離型シートを巻き付けて切断することで、こうした斜交織物の不用意な変形を防止することができる。離型シートとしては、斜交織物を構成する糸がずれないように固定化でき、使用時に離型シートを剥離する際に、斜交織物の製織形態に変形を与えず、かつ、糸を構成する繊維が離脱しないように離型できる程度の接着性を有していることが好ましい。
【実施例】
【００４０】
［実施例１］  図１に示す製造装置により斜交織物を製造した。環状のガイド部２の内径を直径４５０ｍｍ（内周の長さ約１４１４ｍｍ）に設定した。
製造に用いた経糸及び緯糸は以下の通りである。経糸；炭素繊維束；T700SC-50C-12K（東レ株式会社製、幅約５ｍｍ）、本数２４４本緯糸；炭素繊維束；T700SC-50C-12K（東レ株式会社製、幅約５ｍｍ）経糸は、ガイド部２の内側に送給されて周方向に等間隔で挿入され、その挿入方向は、ガイド部２の半径方向に対して周方向に約−３０．４度の角度で傾斜した方向とした。緯糸は、糸幅の５ｍｍずつ移送される毎に開口された経糸の間に挿入されるため、挿入された緯糸の糸長方向は、ガイド部２の中心軸に対して約８９．６度の方向となる。緯糸の挿入速度は、６０本／分とした。  
【００４１】
製織部分の中心軸方向の移送速度は約３００ｍｍ／分とし、移送部による周方向の回動動作の角速度は約４４．８度／分として製織部分を移送及び回動して筒状織物（周長約１４１４ｍｍ）を連続織成した。経糸及び緯糸の交差角度は１２０度に設定されていた。  
【００４２】
切断部による筒状織物の切断方向は、中心軸に対して約２９．６度に設定し、連続織成された筒状織物を螺旋状に切断して、幅約１２２９ｍｍの長尺状の斜交織物を製造した。得られた斜交織物は、平織された糸の交差角度が１２０度に設定され、長手方向に対する配向角度がそれぞれ６０度及び−６０度に設定されており、糸の交差角度及び配向角度を正確に設定された斜交織物を安定して製造することができた。  
【００４３】
［実施例２］  実施例１と同様の製造装置並びに経糸及び緯糸を用い、経糸の挿入方向を約２９．６度に設定した。緯糸を実施例１と同様に経糸の間に挿入して製織部分を織成した。製織部分の中心軸方向の移送速度は約３００ｍｍ／分とし、移送部による周方向の回動動作の角速度は約−４４．４度／分（実施例１とは反対方向）として製織部分を移送及び回動して筒状織物（周長約１４１４ｍｍ）を連続織成した。経糸及び緯糸の交差角度は６０度に設定されていた。  
【００４４】
切断部による筒状織物の切断方向は、中心軸に対して約５９．６度に設定し、連続織成された筒状織物を螺旋状に切断して、幅約７１６ｍｍの長尺状の斜交織物を製造した。得られた斜交織物は、平織された糸の交差角度が６０度に設定され、長手方向に対する配向角度がそれぞれ３０度及び−３０度に設定されており、糸の交差角度及び配向角度を正確に設定された斜交織物を安定して製造することができた。  
【００４５】
［実施例３］  実施例１と同様の製造装置並びに経糸及び緯糸を用い、経糸及び緯糸は幅１０ｍｍに開繊して使用し、経糸の挿入方向を約２９．６度に設定した。緯糸は、糸幅の１０ｍｍずつ移送される毎に開口された経糸の間に挿入されるため、挿入された緯糸の糸長方向は、ガイド部２の中心軸に対して約８９．２度の方向となる。緯糸の挿入速度は、６０本／分とした。  
【００４６】
製織部分の中心軸方向の移送速度は約３００ｍｍ／分とし、移送部による周方向の回動動作の角速度は約１．０６度／分として製織部分を移送及び回動して筒状織物（周長約１４１４ｍｍ）を連続織成した。経糸及び緯糸の交差角度は９０度に設定されていた。  
【００４７】
切断部による筒状織物の切断方向は、中心軸に対して約４４．２度に設定し、連続織成された筒状織物を螺旋状に切断して、幅約１２２９ｍｍの長尺状の斜交織物を製造した。得られた斜交織物は、平織された糸の交差角度が９０度に設定され、長手方向に対する配向角度がそれぞれ４５度及び−４５度に設定されており、糸の交差角度及び配向角度を正確に設定された斜交織物を安定して製造することができた。
【符号の説明】
【００４８】
１・・・斜交織物の製造装置、２・・・ガイド部、３・・・経糸織成部、４・・・緯糸織成部、５・・・移送部、５０・・・内側移送部、５１・・・外側移送部、５２・・・外側移送部、６・・・切断部                              
【図１】
2019203230.tif 000003
【図２】
2019203230.tif 000004
【図３】
2019203230.tif 000005
【図４】
2019203230.tif 000006
【図５】
2019203230.tif 000007
【図６】
2019203230.tif 000008
【図７】
2019203230.tif 000009
【図８】
2019203230.tif 000010
【図９】
2019203230.tif 000011
【図１０】
2019203230.tif 000012